(57)【特許請求の範囲】
【請求項１】
複数種類の絵柄を施したリールを複数列備え、メダル又は玉等の遊技媒体を投入し、ゲームの開始操作により前記複数列のリールをリール絵柄表示窓上で移動を開始させると同時に、制御部の内部抽選により予め定められた複数の入賞役のうちいずれかに当選したか否かを確定し、前記各リールに対応した停止操作により、ハズレを含む前記内部抽選の結果と前記停止操作に基づく所定の絵柄の組合せが前記リール絵柄表示窓上に表示されるように前記各リールを制御して停止させ、前記リール絵柄表示窓上に表示された絵柄の組合せが入賞している場合は該入賞に対応する所定の数の遊技媒体を払い出す遊技台であって、
前記遊技台は、前面パネルの裏面に設置される枠体の表示領域を、選択的に分割できる構造を備え、
該構造は、
前記枠体の表示領域の内周側面に所定間隔で前面パネルと垂直の方向に複数のガイド部を設け、前記枠体の表示領域を分割して区切る仕切り板の側端部に被ガイド部を備え、前記仕切り板の前記被ガイド部を前記枠体の前記ガイド部へ挿入することにより、前記枠体の表示領域を分割して仕切ることを可能とするように構成されると共に、
前記仕切り板の少なくとも一方の平面に、前記枠体に設けられた前記ガイド部と同形状のガイド部を設け、前記仕切り板に設けられた前記ガイド部へ他の仕切り板の被ガイド部を挿入することが可能な構造とし、前記仕切り板によって分割して区切られた前記表示領域をさらに分割して仕切ることを可能とするように構成され、
更に、前記遊技台は、
内部に情報出力装置を収容して一方面に設けた開口部から前記情報出力装置からの情報を出力する箱体を備え、前記箱体の外周側面には前記ガイド部へ挿入するための被ガイド部を前記ガイド部の設置間隔に合わせて複数設けることにより、前記枠体内の表示領域に前記箱体の収納を可能とする構造を有することを特徴とする遊技台。
【発明の詳細な説明】
【０００１】
【発明の属する技術分野】
本発明は、遊技媒体（メダル、玉等）を投入し、複数の種類の絵柄からなるリールを移動（回転）させ、それを停止した際にリール絵柄表示窓上に停止した絵柄の組合せから入賞が定められ、所定の遊技媒体の払出しを受けることを楽しむ遊技台（スロットマシン、パチンコ等）に関する。
【０００２】
【従来の技術】
従来、例えばスロットマシンのような遊技台は、複数の絵柄を外周面に備えたリールを複数列備えており、これらの絵柄は、スロットマシンの正面パネルに設けられたリール表示窓から見ることができるように構成されている。
ゲームはメダルが投入されることにより開始可能となり、スタートレバーが操作されると、これらのリールが回転を開始すると同時に、ゲームの勝敗を決定する入賞役の抽選（以下、内部抽選という）を遊技台内部の制御部により行う。
【０００３】
ここで、内部抽選により何らかの入賞役に内部当選したと判断された場合、遊技者が各リールに対応するストップボタンを押下したときに、内部当選した入賞役に対応する絵柄組合せが、リール表示窓に設けられた入賞ラインのうち、その遊技で有効とされた入賞ライン（メダルの投入枚数によって異なる）上に揃い易くなるようにリール停止制御を行う。
【０００４】
全てのリールが停止し、入賞ライン上に何らかの入賞役に対応した絵柄組合せが揃っていた場合、その入賞役に応じた所定枚数のメダルを払い出し、これにより１回の遊技が終了する。
【０００５】
上述したスロットマシンの正面パネルには、通常、リール表示窓の他に、遊技者に対してスロットマシンの内部情報の表示や、遊技の興趣を向上させる演出を行うために、例えば、ランプ、セブンセグメント表示器、ＬＥＤ、液晶表示装置等の各種表示装置が設置されている。
【０００６】
これら各種表示装置は、各々所定のプリント基板に固定され、さらに、各表示装置の光が他の表示領域に漏れないようにするために、仕切りを設けることにより各表示装置に対応した表示領域を有する枠体に各プリント基板が固定されている。
【０００７】
一方、正面パネルには、上記枠体の各表示領域に対応した位置に、絵、文字、数字等が予め描かれ、あるいは、光を透過させる領域（窓）が設けられている。
【０００８】
そこで正面パネルの裏面に上述の枠体を取り付け、正面パネルに描かれた絵、文字、数字等を裏面からランプ等によって照らしたり、セブンセグメント表示器や液晶表示装置による数字や画像を正面パネルに設けられた窓から表示している。
【０００９】
【発明が解決しようとする課題】
ところで、上述した表示領域を画定する枠体の仕切りは、枠体に一体成形されていたため、各種表示装置の設置位置（レイアウト）は、この表示領域によって決まっていた。このため、各種表示装置のレイアウトの変更に柔軟に対応することができず、レイアウトを変更するには、枠体を新たに設計する手間や、新たな枠体を製造するためのコストがかかっていた。
【００１０】
特に近年では、遊技の興趣を向上させるための演出を行うために、表示装置を用いた演出が多様化してきており、また、スロットマシンの外観にインパクトを持たせ、遊技者の興味を引くためにも、スロットマシンの機種ごとに各種表示装置のレイアウトを容易に変更できることが望ましい。
【００１１】
本発明は、上記の従来技術の問題点に鑑みてなされたものであって、本発明が解決しようとする課題は、上記各種表示装置の設置位置の変更に柔軟に対応することができ、かつ、変更可能な設置位置の自由度が高い遊技台を提供することにある。
【００１２】
【課題を解決するための手段】
本発明は、この課題を解決するためになされたものであって、本発明によれば、複数種類の絵柄を施したリールを複数列備え、メダル又は玉等の遊技媒体を投入し、ゲームの開始操作により前記複数列のリールをリール絵柄表示窓上で移動を開始させると同時に、制御部の内部抽選により予め定められた複数の入賞役のうちいずれかに当選したか否かを確定し、前記各リールに対応した停止操作により、ハズレを含む前記内部抽選の結果と前記停止操作に基づく所定の絵柄の組合せが前記リール絵柄表示窓上に表示されるように前記各リールを制御して停止させ、前記リール絵柄表示窓上に表示された絵柄の組合せが入賞している場合は該入賞に対応する所定の数の遊技媒体を払い出す遊技台であって、前記遊技台は、前面パネルの裏面に設置される枠体の表示領域を、選択的に分割できる構造を備え、該構造は、前記枠体の表示領域の内周側面に所定間隔で前面パネルと垂直の方向に複数のガイド部を設け、前記枠体の表示領域を分割して区切る仕切り板の側端部に被ガイド部を備え、前記仕切り板の前記被ガイド部を前記枠体の前記ガイド部へ挿入することにより、前記枠体の表示領域を分割して仕切ることを可能とするように構成されると共に、前記仕切り板の少なくとも一方の平面に、前記枠体に設けられた前記ガイド部と同形状のガイド部を設け、前記仕切り板に設けられた前記ガイド部へ他の仕切り板の被ガイド部を挿入することが可能な構造とし、前記仕切り板によって分割して区切られた前記表示領域をさらに分割して仕切ることを可能とするように構成され、更に、前記遊技台は、内部に情報出力装置を収容して一方面に設けた開口部から前記情報出力装置からの情報を出力する箱体を備え、前記箱体の外周側面には前記ガイド部へ挿入するための被ガイド部を前記ガイド部の設置間隔に合わせて複数設けることにより、前記枠体内の表示領域に前記箱体の収納を可能とする構造を有することを特徴とする。
【００１８】
【発明の実施の形態】
以下、遊技台としてスロットマシンを例にとり、本発明の実施の形態を、図面を用いて詳細に説明する。
［スロットマシンの外観構成例］
図１は本発明を適用した実施の形態におけるスロットマシンの外観を示す正面図である。
【００１９】
図１に示すスロットマシン本体１００の中央内部には、各々の外周面に特定絵柄を含む複数種類の絵柄を配列したリールが３個（左リール１１０、中リール１１１、右リール１１２）収納され、本体１００の内部で回転できるように構成されている。リール１１０〜１１２の円周面には、それぞれ各種絵柄が適当数ずつ（例えば各々２１コマ）描かれている。
【００２０】
リール１１０〜１１２の絵柄は、各リールに対応して本体１００の正面パネル１０１に設けられたリール表示窓上に、縦方向に３つ表示される。従って、全リールが停止した場合、遊技者は、３×３の合計９個の絵柄を見ることができる。
【００２１】
また、各リールの裏側には、表示される個々の絵柄を照らすためのバックライトが配置されている。
【００２２】
なお、本実施の形態では、３個のリールを備えているが、リールの数やリールの設置位置はこれに限定されるものではない。
【００２３】
入賞表示ランプ１２０は、遊技ごとに有効となる入賞ラインを示すランプである。
【００２４】
ここで、有効となる入賞ラインは、スロットマシンに投入されたメダルの枚数によって変化する。例えば、図１に示すように５本の入賞ラインを有するスロットマシンの場合、一般に、メダルを１枚投入した時は中段の水平入賞ライン、２枚投入した時は上段および下段の水平入賞ラインを加えた３つの入賞ライン、３枚投入した時は更に斜めの入賞ライン２本を加えた５ラインが、有効となる。なお、入賞ラインの数は本実施の形態により５本に限定されるものではない。
【００２５】
スタートランプ１２１は、リールが回転することができる状態であることを知らせるランプである。
【００２６】
再遊技ランプ１２２は、リール表示窓に表示された絵柄の組合せが、再遊技に入賞した時に、遊技者へ次の遊技が再遊技であることを知らせるランプである。
【００２７】
告知ランプ１２３は、内部抽選の結果、特別遊技または特殊遊技に内部当選したことを遊技者に報知するランプである。
【００２８】
払出枚数表示器１２４は、何らかの入賞役に入賞した時に、遊技者へ払い出されるメダルの枚数を表示する表示器である。
【００２９】
遊技回数表示器１２５は、特別遊技または特殊遊技中の遊技回数もしくは入賞回数を表示する表示器である。
【００３０】
貯留枚数表示器１２６は、スロットマシン内に貯留されているメダルの枚数を表示する表示器である。
【００３１】
メダル投入ランプ１２７は、遊技者にメダルの投入が可能であることを知らせるランプである。
【００３２】
演出用ランプ１２８は、遊技の興趣を高めるための演出に使用されるランプである。
【００３３】
上述した入賞表示ランプ１２０から演出用ランプ１２８は、正面パネル１０１の裏側に取り付けられ、各ランプによって正面パネル１０１に描かれた絵や数字等を照らしたり、正面パネル１０１に設けられた窓から数値を表示することによって、遊技者にスロットマシンの状態を知らせたり、遊技の興趣を向上させる演出を行ったりしている。従って、正面パネル１０１は、遊技者に対する情報表示板であるともいえる。
【００３４】
メダル投入ボタン１３０、１３１、１３２は、各ボタンに予め定められた枚数を最大数として、貯留されたメダルをスロットマシンへ投入するボタンであり、１枚投入ボタン１３０、２枚投入ボタン１３１、３枚投入ボタン１３２からなる。これらのボタンを押下することにより１回の遊技に１〜３枚のメダルがスロットマシンへ投入される。
【００３５】
メダル投入口１３３は遊技を開始するに当たって遊技者がメダルを投入する個所である。
【００３６】
スタートレバー１３４は、リール１１０〜１１２の回転を開始させるレバーである。
【００３７】
ストップボタン１３５、１３６、１３７は、押下することによって対応するリール１１０、１１１、１１２を停止させるボタンである。また、各ストップボタンの内部にはランプが設けられており、スタートレバー１３４が操作された後、リールの停止が可能な状態になると全ランプが点灯し、各ストップボタンが押下されるごとに消灯していく。
【００３８】
精算ボタン１３８は、スロットマシン本体１００内に貯留されているメダルを精算して排出する精算機能と、遊技者がメダル投入口１３３から投入したメダルのうち所定枚数（例えば３枚）以上のメダル、または、入賞により獲得したメダルを最大５０枚まで貯留するか否かを切換える貯留切換機能とを兼ねている。
【００３９】
化粧パネル１４０は、スロットマシンの機種名や、スロットマシンを装飾するためのイラストが描かれているパネルである。
【００４０】
配当パネル１４１は、各入賞役の絵柄組合せ、及びその入賞役に対して払い出されるメダルの枚数（すなわち、配当）を表示しているパネルである。
【００４１】
メダル排出口１５０は入賞によって払い出されるメダルの排出口であり、払い出されたメダルはメダル受皿１５１に溜まるようになっている。
【００４２】
上部ランプ１６０は、各遊技状態に応じて点灯／消灯／点滅し、遊技全体を盛り上げるための装飾用のランプとして使用される。
【００４３】
上部パネル１７０は、その裏面に、後述する液晶表示装置（以下、ＬＣＤいう）１７１、および、ＬＥＤ表示器１７２、１７３が設置されるパネルである。
【００４４】
とここで、前述した正面パネル１０１、化粧パネル１４０、および、上述した上部パネル１７０は、前面パネルに相当する。
【００４５】
ＬＣＤ１７１は、スロットマシンの内部情報および遊技の経過情報等を遊技者に対して表示する。
【００４６】
ＬＣＤ１７１は、各遊技状態（遊技していない時を含めてもよい）に応じて、遊技のルールや遊技例等のデモンストレーションを表示するサービス表示を、キャラクター等を用いて動画または静止画により遊技者に表示する。
【００４７】
ＬＥＤ表示器１７２、１７３は、各々、ＬＥＤを３×３のマトリクス状に配置したＬＥＤユニット（後述する）を２つ用いて構成されており、ＬＣＤ１７１の画面に遊技者の注意を向けさせたり、遊技に対する興趣を増すために点灯／消灯／点滅する。
［前面扉の裏側構成例］
図２は、スロットマシン１００の前面扉の裏側構成の例を示す斜視図である。以下、この図を参照して、本実施の形態における正面パネル１０１の裏側に設置される各種表示装置類（入賞表示ランプ１２０〜演出用ランプ１２８）の設置構造について説明する。なお、この図において図１と同じ部分については、同一符号を付し、その詳細な説明を省略する。
【００４８】
図２に示すように、前面扉の裏面には、入賞表示ランプ１２０〜演出用ランプ１２８が取り付けられる枠体２００と、化粧パネル１４０および配当パネル１４１（図１参照）を裏面から照らすための照明装置が設けられた下部表示ユニット３００（箱体収容部に相当）と、ＬＣＤ１７１およびＬＥＤ表示器１７２、１７３が設置される上部表示ユニット４００とが取り付けられる。
【００４９】
以下、（１）枠体２００、（２）下部表示ユニット３００、および、（３）上部表示ユニット４００の構造について、図面を参照して詳細に説明する。
（１）枠体２００の構造：
以下の説明では、便宜上、図２に示すように枠体２００の各種表示装置の表示領域を、演出用ランプ１２８が設置される表示領域２０１と、スタートランプ１２１〜メダル投入ランプ１２７が設置される表示領域２０２と、入賞表示ランプ１２０が設置される表示領域２０３とに大別する。
【００５０】
また、各表示領域の構造の例は、表示領域２０１に適用した場合を代表例として説明するが、表示領域２０２、２０３も同様であってもよいことは云うまでもない。
（構造例１）
図３は、図１に示す演出用ランプ１２８が図２に示す枠体２００の表示領域２０１に設置される部分を説明するために拡大して図示した斜視図である。
【００５１】
従って、図３の矢印Ａで示す方向は、図２を参照すると分かるように、枠体２００を前面扉の裏面から取付る方向を示している。
【００５２】
図３に示すように、長方形をなす表示領域２０１の内周側面には、長手方向に沿って後述する仕切り板側端部の挿入をガイドするガイド部２０４が、所定ピッチ（Ｐ１で表示）で複数設けてある。
【００５３】
各ガイド部２０４の構造は、図３からも分かるように、断面がＬ字状と逆Ｌ字状の２つの板材が互いに向き合った形で構成されており、各ガイド部２０４のＬ字状と逆Ｌ字状断面の短手部分の側端面の間隔をＤの長さ開けて、Ｌ字状と逆Ｌ字状断面の長手部分の側端面が表示領域２０１の長手方向の内周側面に一体成形されている。
【００５４】
ここで、上記Ｌ字状と逆Ｌ字状断面の短手部分の側端面の間隔Ｄの寸法は、後述する仕切り板の厚さとほぼ同寸（厳密には少し大）に設定されている。
【００５５】
また図３では図示を省略しているが、図のガイド部２０４が設けられた表示領域２０１の長手方向の内周側面に対向する内周側面にも、図示したガイド部２０４の各々に対向する位置に、それぞれガイド部（２０４）が設けてある。
【００５６】
表示領域２０１の四隅には、プリント基板（図示略）をネジ止めするためのネジ穴２０５が設けられており、プリント基板上へ所望するレイアウトに従って演出用ランプ１２８を配置し、各ランプに電力を供給するためのパターンが形成されている。
【００５７】
図４に示すように、上述したガイド部２０４には、仕切り板２１０が挿入される。この仕切り板２１０の両側端部（図４（ａ）で、点線で囲み斜線を施した部分）には、仕切り板２１０の平面よりも、仕切り板２１０の長手方向に対して垂直方向（同図中、矢印（ア）の方向）に突出し、仕切り板２１０の短手方向（仕切り板２１０の挿入方向：図４（ａ）の、矢印（イ）の方向）に沿って延設された被ガイド部２１１（斜線で示した部分）を設けている。
【００５８】
図４（ｂ）を参照すると分かるように、被ガイド部２１１には、段差（同図の（ウ）で示す個所）が設けられており、被ガイド部２１１をガイド部２０４に挿入した場合、この段差とガイド部２０４の上端面とが当接することで、ガイド部２０４が仕切り板２１０を支持するように構成されている。
【００５９】
図４（ａ）に示すようにガイド部２０４の高さｈ１と、ガイド部２０４の被ガイド部挿入幅ｗ１の寸法は、それぞれ、被ガイド部２１１の段差よりも図の下側の、長さｈ２と幅ｗ２とに略一致している。
【００６０】
仕切り板２１０には、更に、その平面の略中央に、後述する細分仕切り板の側端部の挿入をガイドするガイド部２１２を設けている。このガイド部２１２の形状は、ガイド部２０４と同様であり、仕切り板２１０の一方面にだけ設けてもよいし、両面に設けてもよい。
【００６１】
次に、図５（ａ）、（ｂ）を参照して上述した細分仕切り板について説明する。細分仕切り板２２０は、仕切り板２１０によって分割された表示領域をさらに細かく分割する仕切り板である。図５（ａ）に示す細分仕切り板２２０の両側端部にも、仕切り板２１０と同様の被ガイド部２２１（斜線部）を設けることにより、２つの仕切り板２１０の各ガイド部２１２に、細分仕切り板２２０の被ガイド部２２１を挿入することによって、仕切り板２１０により分割された表示領域をさらに細かく分割することができる。
【００６２】
また、図５（ｂ）を参照すると分かるように、細分仕切り板２２０のガイド部２０４に対向する位置に、当該ガイド部２０４と同寸・同形状のガイド部２２２を設け、例えばガイド部２０４と２２２に挿入される被ガイド部を両側端部に設けた仕切り板（図示略）を用意し、用いることにより（被ガイド部をガイド部に差し込むことにより）、２つの仕切り板２１０と、細分仕切り板２２０よって分割された表示領域を、更に、細かく分割することができる。
【００６３】
以上の説明した構成、即ち、複数の仕切り板２１０および細分仕切り板２２０によって、枠体２００の表示領域２０１を所望する領域に分割することができる。
【００６４】
分割された各領域に対応する位置に演出用ランプ１２８の各々が配置されたプリント基板は、四隅を図３に示すネジ穴２０５にネジ止めすることにより、固定され、更に、プリント基板は、各種ガイド部２０４、２１２、２２２に挿入された各種仕切り板２１０、２２０等を、枠体２００の正面パネル裏面側への取付方向（すなわち、図３の矢印Ａの方向）と反対の方向へ脱落するのを防ぐ役割も担う。
【００６５】
以上本実施の形態を用いて詳細に説明したように、本発明の提案する構造を適用することにより、例えばスロットマシンの機種に応じて演出用ランプ１２８のレイアウトや、演出用ランプ１２８の数を変更したい場合は、必要に応じて仕切り板２１０や細分仕切り板２２０の挿入位置を変更するだけでよく、枠体２００を逐一設計し直す必要がなくなる。
【００６６】
また、各種仕切り板を前面扉の裏側から挿入する構造とすることにより、枠体２００を前面扉の裏面に取り付けたまま、仕切り板の挿入位置を変更することができるという利点がある。
【００６７】
なお、上述した構造例では、仕切り板２１０のガイド部２１２を、対向する仕切り板２１０の平面上の各々の略中央位置に１つだけ設けた例を示しているが、複数のガイド部を設けた場合、各ガイド部の形成位置は、個々の対向する仕切り板２１０の対向位置に設けることは云うまでもない。
【００６８】
また、本実施の形態では、図５（ａ）に示した細分仕切り板２２０の長さＬは、２つの仕切り板２１０の間隔を、１つのガイド部２０４を置いた（スキップした）間隔として図示しているが、予め複数種類の長さの細分仕切り板２２０を用意しておくことにより、様々な間隔に対応できる。
【００６９】
また、例えば、図６に示すように、表示領域２０１の短手方向に内側面２０６を設け、この内側面２０６の平面上に、仕切り板２１０のガイド部２１２と対向する位置に、当該ガイド部２１２と同寸・同形状のガイド部２０７を形成できる。このようにすると、細分仕切り板２２０により２つの仕切り板２１０によって分割された表示領域を分割するだけではなく、内側面２０６、仕切り板２１０、および、表示領域２０１の長手方向内側面とによって形成された表示領域も分割することができる。
【００７０】
更に、ガイド部２０４の構造を、図７に示すように断面が略Ｔ字状の構造（ただし、両端のガイド部２０８、２０９の断面形状はＬ字状と逆Ｌ字状にする）にして、仕切り板２１０の挿入ピッチを細かくすることにより、仕切り板による分割領域の選択幅が広がり、表示領域のレイアウト、即ち分割の自由度を向上させることができる。
【００７１】
なお、このガイド部の構造は、表示領域２０１の内周面に限らず図４に示す仕切り板２１０、図５に示す細分仕切り板２２０、図６に示す内側面２０６に設けるガイド部にも適用可能であることは云うまでもない。
（構造例２）
次に、図８、図９を参照して本発明による枠体２００（図２参照）の各表示領域を分割する構造の例について説明する。なお、構造例１と同様に、本例では図２に示す表示領域２０１を分割する場合を例として説明する。
【００７２】
図８は本構造例２における枠体２００の表示領域２０１部分、および、仕切り板を示す斜視図である。ここで図８の図３と同じ部分については、同一符号を付し、その詳細な説明を省略する。
【００７３】
図８（ａ）に示すように、構造例２は、構造例１におけるガイド部を、いわゆる蟻溝としたことを特徴としている。
【００７４】
図８（ｂ）に示すように、蟻溝２３０は、所定ピッチＰ２毎に設けられ、
各蟻溝２３０には、図８（ｃ）に示す仕切り板２４０の嵌合部２４１（図８（ｃ）の斜線部参照）が通過可能なように、図８（ｂ）に示す間隙Ｄが設けられている。また、蟻溝２３０の底面２３１は、表示領域２０１の底面（正面パネル１０１方向の面）から長さｈ４の位置に設けられている。
【００７５】
図８（ｂ）、（ｃ）に示すように、上述した嵌合部２４１は、仕切り板２４０の両側端面上方に形成されており、嵌合部２４１の高さと、蟻溝２３０の底面２３１から蟻溝２３０上端までの高さとは同寸法（いずれもｈ３）になっている。また、仕切り板２４０の底面（表示領域２０１への挿入方向の面）から嵌合部２４１の底面までの高さと、上述した表示領域２０１の側壁の底面から、蟻溝２３０の底面２３１までの高さとは同寸法（いずれもｈ４）になっている。
【００７６】
図８（ｃ）に示すように仕切り板２４０の上辺部には、蟻溝２３０と同寸・同形状の蟻溝２４２が、同一ピッチＰ２毎に複数設けられている。
【００７７】
以上の説明した蟻溝２３０、並びに嵌合部２４１を備えた仕切り板２４０を、蟻溝のピッチを考慮して複数種類の長さを用意することで、仕切り板２４０の長さＬ（図８（ｃ）参照）又は表示領域２０１の長手方向を細分して仕切ることができる。
【００７８】
例えば図９に示すように、Ａという種類の仕切り板２４０を１つ、Ｂという種類の仕切り板２４０を２つ、Ｃという種類の仕切り板２４０を１つ、Ｄという種類の仕切り板２４０を４つ用いて、表示領域２０１を９つの表示領域に分割した場合の例である。
（構造例３）
上述した構造例１と、２は、仕切り板によって表示領域を分割することで、各種表示装置のレイアウトの自由度を図った。本構造例３では、各種表示装置を個々にユニット化し、これらのユニット（箱体に相当）を表示領域内の所望する位置に設置することができるようにしたことを特徴としている。本構造例によれば、ユニット化した各種表示装置を表示領域内に自由に配置することが可能となり、より簡単に各種表示装置のレイアウトの変更をすることが可能とする。
【００７９】
以下、その実現方法について具体的に説明する。なお、以下の説明では、セブンセグメント表示器をユニット化し、それを表示領域２０１内に配置する場合を例に挙げて説明する。また、表示領域２０１の内周側面の構造は、構造例２で参照した図８の構造を用いて説明する。
【００８０】
セブンセグメント表示器をユニット化した場合の例を図１０（ａ）の表示側と、（ｂ）の裏側として示す。これらの図に示すユニット２５０は、セブンセグメント表示器２５１を３個並列に並べて３桁の数字を表示可能としたものである。また、図中、矢印Ｂは、枠体２００の正面パネル１０１への取付方向、すなわち、ユニット２５０を図８（ａ）に示す表示領域２０１の蟻溝へ挿入する方向を示している。よって、ユニット２５０には、当該ユニットをスロットマシンに取り付けた時に、遊技者と対向する面（箱体の一方の面に相当）に開口部が設けられており、この開口部により、内部のセブンセグメント表示器による表示内容が見えるようになっている。即ちこの部分より遊技台の情報を遊技者に対して出力することができる（情報出力装置）。
【００８１】
ユニット２５０の内部には、各セブンセグメント表示器２５１に電力を供給するためのパターンが形成されたプリント基板（図示略）が設置され、このプリント基板上に、セブンセグメント表示器２５１がハンダ付けされている。また、図１０（ｂ）に示すように、ユニット２５０の底面には、上述したプリント基板に外部から電力並びに信号を供給するためのケーブル２５２を通すためのケーブル孔２５３が穿設されている。
【００８２】
更に、ユニット２５０の外周側面には図１０（ａ）に示すように、図８（ｃ）で説明した嵌合部２４１と同寸・同形状の嵌合部２５４、２５５が、それぞれ図８（ｂ）で説明した蟻溝２３０のピッチＰ２に合わせて複数設けている。図１０に示すユニット２５０の場合、長手方向の長さＬ（両端の嵌合部２５４を除く）は、表示領域２０１の短手方向の長さＬと一致している。従って、ユニット２５０の短手方向の外周面に設けられた各嵌合部２５４は、表示領域２０１の長手方向に設けられた蟻溝と嵌合することができる。
【００８３】
本構造例の場合、ユニット２５０を表示領域２０１内に挿入した後に、例えば格子状の抑え板（図示略）をねじ穴２０５にねじ止めし、枠体２００からユニット２５０が脱落するのを防ぐと共に、ユニット２５０のケーブル孔２５３から延出しているケーブル２５２を、上記抑え板の格子から通すようにするとよい。
【００８４】
なお、図１０では、ユニット２５０の長手方向の外周側面に、嵌合部２５５を設けているが、この代わりに図８（ｃ）で示した蟻溝２４２を設けてもよい。また、図１０（ｃ）に示すように、ユニット化する装置の高さ寸法に応じて、ユニットの奥行き寸法Ｈを適宜変更してもよいが、この場合、嵌合部２４１の高さｈ３、ユニットの表示領域２０１への挿入方向の底面から嵌合部２４１の底面までの高さｈ４は一定にする必要がある。
【００８５】
また、蟻溝及び嵌合部の形状寸法等を、構造例２で説明した仕切り板２４０と上述したユニットとで共通にすれば、ユニットと仕切り板とを組み合わせて、１つの表示領域を分割することができる。
【００８６】
更に、本構造例ではセブンセグメント表示器をユニット化した場合について説明したが、ユニット化する表示器の種類はこれに限らず、例えば、複数のＬＥＤまたはランプをプリント基板上にマトリクス状に配置したものであってもよい。
【００８７】
更に、本構造例では、構造例２に示した蟻溝を前提に説明したが、構造例１に示したガイド部（特に図７）および被ガイド部の構造を用いても、各種表示装置のユニット化が実現可能であることはいうまでもない。
【００８８】
以上詳細に説明したように、本発明によれば各種表示装置をユニット化することにより、プリント基板の変更を伴わず、より簡便に各種表示装置の配置を変更することができることが分かろう。
（２）下部表示ユニット３００の構造：
次に図１１を参照して図２に示した下部表示ユニット３００の構造について説明する。図１１（ａ）は、下部表示ユニット３００と、図１に示す化粧パネル１４０および配当パネル１４１を裏面から照明する蛍光灯ユニット３１０およびＬＥＤユニット３２０を、化粧パネル１４１側（以下、表側という）から見たときの斜視図である。
【００８９】
図１１（ｂ）は蛍光灯ユニット３１０を、当該蛍光灯ユニット３１０が取り付けられる下部表示ユニット３００側（以下、裏側という）から見たときの斜視図である。
【００９０】
図１１（ｃ）は蛍光灯ユニット３１０およびＬＥＤユニット３２０が、下部表示ユニット３００に設置された状態を示す断面図である。
【００９１】
図１１（ａ）において、下部表示ユニット３００に伏してある矢印Ｃは、下部表示ユニット３００の前面扉裏面への取付方向を示している。また、蛍光灯ユニット３１０（ＬＥＤユニット３２０を含む）に伏してある矢印Ｄは、蛍光灯ユニット３１０およびＬＥＤユニット３２０の、下部表示ユニット３００への取付方向を示している。
【００９２】
図１１に示すように、下部表示ユニット３００の内部底面（以下、ユニット取付面という）には、図１１（ａ）に示すように、直径ｄ、高さｈ５の円柱形状の突起体３０１が所定ピッチＰ３で列をなして設けてある。本実施の形態では、突起体３０１の列、即ち点線で囲んで示している突起列３０２は、ピッチＰ３の２倍の間隔で、図では省略するが下部表示ユニット３００内部底面の図中左側から右側に亘って設けられている。
【００９３】
各突起列３０２の間には、蛍光灯ユニット３１０およびＬＥＤユニット３２０へ、それぞれ電力を供給する電源ケーブルを通すための長穴３０３が穿設されている。
【００９４】
また、蛍光灯ユニット３１０、および、ＬＥＤユニット３２０には、これらユニットをスロットマシンに取り付けた時に、遊技者と対向する面（箱体の一方の面に相当）に開口部が設けられており、この開口部により、内部の蛍光灯およびＬＥＤからの光が外部に放射されるようになっている。
【００９５】
蛍光灯ユニット３１０の底面３１１（上記一方の面に対向する面）には、蛍光灯ソケット３１２が２つ設置されており、これら蛍光灯ソケット３１２により、蛍光灯３１２を狭持すると共に電源ケーブル３１３を介して外部からの電力を供給している。
【００９６】
ＬＥＤユニット３２０の内部には、基板３２１上にＬＥＤ３２２が９個、３×３のマトリクス状に配置され、電源ケーブル３２３によって外部から電力の供給を受けている。
【００９７】
なお、図１１（ａ）では、突起列３０２および長穴３０３を、同図中、縦方向に設けたが、横方向に設けてもよい。
【００９８】
次に図１１（ｂ）を参照して、蛍光灯ユニット３１０およびＬＥＤユニット３２０の底部構造について説明する。図１１（ｂ）に示すように、蛍光灯ユニット３１０の底面３１１にはケーブル３１４を通すためのケーブル孔３１５が穿設されている。ここで、図１１（ｂ）ではケーブル孔３１５が１つしか設けられていないが、予め複数設けて、当該ユニットを下部表示ユニット３００に取り付けた時の位置に応じて、長穴３０３に最も近い位置にあるケーブル孔に電源ケーブルを通すようにしてもよい。
【００９９】
また、底面３１１は、下部表示ユニット３００との接触面よりも、長さｌだけ高い位置（図１１（ｂ）参照）に設けられている。すなわち、蛍光灯ユニット３１０およびＬＥＤユニット３２０の底面には、下部表示ユニット３００との接触面からの高さがｌの枠（以下、取付枠という）が形成されており、この取付枠と、図１１（ａ）に示す突起体３０１とを嵌合させることで、蛍光灯ユニット３１０およびＬＥＤユニット３２０を、下部表示ユニット３００に取り付けることができる。
【０１００】
なお、上述した長さｌは、下部表示ユニット３００の突起３０１の高さｈ５以上であることが望ましい。また、本実施の形態では、蛍光灯ユニット３１０の底部内周寸法について、長手方向の長さはｍ×２Ｐ３＋ｄ、短手方向の長さはｎ×Ｐ３＋ｄ（ｍは１以上の整数、ｎは２以上の整数）となるように定めている。
【０１０１】
また、図示は略すが、ＬＥＤユニット３２０についても、蛍光灯ユニット３１０の底面３１１と同様の底面が形成されており、基板３２１は、当該底面上に固定されている。
【０１０２】
上述した構造により、図１１（ｃ）に示すように、蛍光灯ユニット３１０、ＬＥＤユニット３２０の底部を、下部表示ユニット３００の突起３０１に嵌合させることにより、蛍光灯ユニット３１０、ＬＥＤユニット３２０を、下部表示ユニット３００のユニット取付面上において、縦横方向に自由に設置することができる。
【０１０３】
なお、図１１（ａ）に示すように、蛍光灯ユニット３１０の高さＨ１とＬＥＤユニット３２０の高さＨ２が異なっており、これら各ユニットを下部表示ユニット３００に取り付けた時の高さを一致させる必要がある場合は、図１２（ａ）、（ｂ）に示すような、高さ調整用ユニット３３０を用意してもよい。ここで、図１２（ａ）は高さ調整用ユニット３３０を表側から見た斜視図であり、（ｂ）は裏側から見た斜視図である。また、これらの図において、図１１（ａ）と同じ部位には同一の符号を付し、その説明を省略する。
【０１０４】
図１２（ａ）に示すように、この高さ調整用ユニット３３０の表側には、下部表示ユニット３００の取付面に形成された図１１（ａ）に示した突起３０１が、同一のピッチＰ３で複数個、一列に配設されている。また、この突起列の間隔は、下部表示ユニット３００の取付面と同様、ピッチＰ３の２倍に設定されており、各突起列の間には長穴３３１が穿設されている。
【０１０５】
また、図１２（ｂ）に示すように、高さ調整用ユニット３３０の底部には、蛍光灯ユニット３１０およびＬＥＤユニット３２０と同様の取付枠が形成されている。本実施の形態でにおいて、この取付枠の内周寸法は、長手方向の長さがｘ×２Ｐ３＋ｄ、短手方向の長さがｙ×Ｐ３＋ｄ（ｘは１以上の整数、ｙは２以上の整数）となるように定めている。
【０１０６】
下部表示ユニット３００に取り付けられるユニットのうち、最も高さが大きいユニットに合わせるように、「高さ調整用ユニット」３３０の高さＨ３を合わせることにより、全ユニットを下部表示ユニット３００へ取り付けたときの高さを一致させることができる。
（３）上部表示ユニット４００の構造：
上部表示ユニット４００（図２参照）の構造は、前述した「（１）枠体２００の構造」で説明した構造例３、または、上述した「（２）下部表示ユニット３００の構造」の、いずれも採用することができる。
【０１０７】
例えば、「（１）枠体２００の構造」の構造例３を採用した場合、まず、上部表示ユニット４００を枠体構造として、ユニット取付面を設けず、更に内周側面に、図３、図７、または、図８で示したガイド部または蟻溝を所定ピッチで複数設ける。また、図１で示したＬＣＤ１７１と、ＬＥＤ表示器１７２、１７３を構成する各ＬＥＤユニットとを、図１０で示した構造とする。
【０１０８】
ここで、上部表示ユニット４００の内周側面に、図３または図７で示したガイド部を設けた場合、ユニット化されたＬＣＤ１７１、および、ＬＥＤ表示器１７２、１７３の各ＬＥＤユニットの外周側面には、嵌合部の代わりに、
図４で示した被ガイド部を設ける必要があることは云うまでもない。
【０１０９】
又、上述した各ユニットの外周側面に設ける被ガイド部または嵌合部の形成間隔は、上部表示ユニットの内周側面に設けられたガイド部または蟻溝が形成されている間隔に合わせる必要があることは云うまでもない。
【０１１０】
一方、「（２）下部表示ユニット３００の構造」で説明したのと同様の構造を採用した場合、まず、上部表示ユニット４００の内部底面（ユニット取付面）に、図１１（ａ）で示したように、突起列３０２を所定の間隔で複数形成する。また、図１で示したＬＣＤ１７１と、ＬＥＤ表示器１７２、１７３を構成する各ＬＥＤユニットとを、図１１（ａ）、（ｂ）に示した蛍光灯ユニット３１０、ＬＥＤユニット３２０と同様の構成とする。
【０１１１】
以上のような構造を採用することにより、上部表示ユニット４００に対し、ＬＣＤ１７１およびＬＥＤ表示器１７２、１７３を所望する位置に取り付けることができる。
【０１１２】
ここで、情報出力装置とは、ランプ、ＬＥＤ、セブンセグメント表示器等の表示装置、音声等を出力するスピーカ、画像等を表示する液晶表示装置、蛍光灯等の照明装置等をいう。
【０１１３】
なお、上部表示ユニット４００に取り付けるためにユニット化する装置としては、ＬＣＤ、ＬＥＤ等の表示装置に限らず、その他の情報出力装置例えば、スピーカ、演出用のリール、または、モータ等により動く小型模型（いわゆるパチンコ台などにおけるやくもの）であってもよい。
【０１１４】
なお、情報出力装置としては、上記以外にもランプ、蛍光灯、セブンセグメン、ＣＲＴ、冷陰極管、プラズマ等の表示器を含む画像を用いた表示装置や照明装置、スピーカに代表される音声出力装置、等々が挙げられる。
【０１１５】
【発明の効果】
以上説明したように、本発明によれば、遊技台の前面パネルの裏面に設置される枠体の表示領域を、選択的に分割することができるので、各種表示装置の設置位置の変更に柔軟に対応することができる。
【０１１６】
また、各種表示装置を個々にユニット（箱体）化し、そのユニットを上記表示領域のガイド部へ挿入できるようにしたので、より簡便に各種表示装置の設置位置の変更に柔軟に対応することができる。
【図面の簡単な説明】
【図１】本発明の実施の形態におけるスロットマシンの外観正面図である。
【図２】同スロットマシンの前面扉裏面の概略構造を示す斜視図である。
【図３】同前面扉背面に取り付けられる枠体の表示領域内周側面の構造を示す斜視図である。
【図４】同枠体の表示領域のガイド部および表示領域を分割する仕切り板の構造を示す斜視図である。
【図５】同仕切り板により分割された表示領域をさらに分割する細分仕切り板の構造を示す斜視図である。
【図６】本発明の実施の形態におけるスロットマシンの前面扉裏面に取り付けられる枠体の表示領域内周側面の他構造を示す斜視図である。
【図７】本発明の実施の形態におけるスロットマシンの前面扉裏面に取り付けられる枠体の表示領域内周側面の構造を示す斜視図である。
【図８】本発明の実施の形態におけるスロットマシンの前面扉裏面に取り付けられる枠体の表示領域内周側面の他構造を示す斜視図である。
【図９】同枠体の表示領域の分割例を示す上面図である。
【図１０】同枠体の表示領域に設置される表示装置ユニットの外観を示す斜視図である。
【図１１】本発明の実施の形態におけるスロットマシンの前面扉裏面に取り付けられる下部表示ユニットおよび下部表示ユニットに取り付けられるユニットの構造を示す斜視図である。
【図１２】同下部表示ユニットに取り付けられる高さ調整用ユニットの構造を示す斜視図である。
【符号の説明】
１００  スロットマシン本体
１０１  正面パネル
１１０  左リール
１１１  中リール
１１２  右リール
１２０  入賞表示ランプ
１２１  スタートランプ
１２２  再遊技ランプ
１２３  告知ランプ
１２４  払出枚数表示器
１２５  遊技回数表示器
１２６  貯留枚数表示器
１２７  メダル投入ランプ
１２８  演出用ランプ
１３０〜１３２  メダル投入ボタン
１３３  メダル投入口
１３４  スタートレバー
１３５〜１３７  ストップボタン
１３８  精算ボタン
１４０  化粧パネル
１４１  配当パネル
１５０  メダル排出口
１５１  メダル受皿
１６０  上部ランプ
１７０  上部パネル
１７１  液晶表示装置（ＬＣＤ）
１７２、１７３  ＬＥＤ表示器
２００  枠体
２０１、２０２、２０３  表示領域
２０４、２０７、２１２、２２２  ガイド部
２０５  ネジ穴
２０６  内周面
２０８、２０９  両端ガイド部
２１０、２４０  仕切り板
２１１、２２１  被ガイド部
２２０  細分仕切り板
２３０、２４２、２７１  蟻溝
２３１  蟻溝底面
２４１、２５４、２６１  嵌合部
２５０、２６０  ユニット
２５１  セブンセグメント表示器
２５２  ケーブル
２５３  ケーブル孔
２７０  ブランクユニット
３００  下部表示ユニット
３０１  突起
３０２  突起列
３０３  長穴
３１０  蛍光灯ユニット
３１１  蛍光灯ユニット底面
３１２  蛍光灯ソケット
３１３  蛍光灯
３１４、３２３  電源ケーブル
３１５  ケーブル孔
３２０  ＬＥＤユニット
３２１  プリント基板
３２２  ＬＥＤ
３３０  高さ調整ユニット
【図１】
0003569867.tif 000002
【図２】
0003569867.tif 000003
【図３】
0003569867.tif 000004
【図４】
0003569867.tif 000005
【図５】
0003569867.tif 000006
【図６】
0003569867.tif 000007
【図７】
0003569867.tif 000008
【図８】
0003569867.tif 000009
【図９】
0003569867.tif 000010
【図１０】
0003569867.tif 000011
【図１１】
0003569867.tif 000012
【図１２】
0003569867.tif 000013